(57)【要約】【課題】持ち運びも可能なため、家庭、オフィス等で容易に使用することができ、また、目的とする対象部位への温熱、微量放射線および遠赤外線の付与が容易であり、かつ、対象部位を温熱するための温熱具の加温も容易かつ良好に行うことができる人体部位温熱器具を提供する。【解決手段】人体部位温熱器具１は、少なくとも加温時において微量放射線および遠赤外線を発生し、手による保持もしくは手に装着可能であり、人体の適宜部位にあてることにもしくは人体の適宜部位を載置することにより適宜部位に温熱作用を付与するための温熱具２と、温熱具２を載置可能であり、かつ載置された温熱具２を加温するための面状発熱部１２を有する温熱具加温器１０とを備えている。【選択図】図１
0003136038.tif 000002
【実用新案登録請求の範囲】
【請求項１】
少なくとも加温時において微量放射線および遠赤外線を発生し、手による保持もしくは手に装着可能であり、人体の適宜部位にあてることもしくは人体の適宜部位を載置することにより該部位に温熱作用を付与するための温熱具と、前記温熱具を載置可能であり、かつ載置された前記温熱具を加温するための面状発熱部を有する温熱具加温器とを備えることを特徴とする人体部位温熱器具。
【請求項２】
前記温熱具は、天然微量放射性鉱物および遠赤外線発生物質を含有している請求項１に記載の人体部位温熱器具。
【請求項３】
前記遠赤外線発生物質は、富士溶岩石である請求項２に記載の人体部位温熱器具。
【請求項４】
前記温熱具は、セラミック材により成形されている請求項２または３に記載の人体部位温熱器具。
【請求項５】
前記温熱具は、前記温熱具加温器と接続されていない請求項１ないし４のいずれかに記載の人体部位温熱器具。
【請求項６】
前記温熱具は、前記面状発熱部の平坦面上に載置するための平坦面と、該平坦面の反対側の面に形成された凸状湾曲面を有している請求項１ないし５のいずれかに記載の人体部位温熱器具。
【請求項７】
前記温熱具は、バンド装着用溝と、該バンド装着用溝に装着されたバンドを備え、前記バンドと前記温熱具間に指を挿入することにより、手に装着可能なものである請求項１ないし６のいずれかに記載の人体部位温熱器具。
【請求項８】
前記温熱具加温器は、前記面状発熱部の表面に人体の適宜部位を載置することにより、該適宜部位を温熱可能なものである請求項１ないし７のいずれかに記載の人体部位温熱器具。
【請求項９】
前記面状発熱部は、通電により発熱する面状発熱体と、該面状発熱体の上面を被包し、かつ、少なくとも加温時にマイナスイオン発生作用を有するカバー体を有している請求項１ないし８のいずれかに記載の人体部位温熱器具。
【請求項１０】
前記カバー体は、ゲルマニウムおよび希土類元素を担持している請求項９に記載の人体部位温熱器具。
【請求項１１】
前記カバー体は、前記面状発熱体の発熱により、所定の温度に加温されると色彩が変化する色彩変化機能を備えている請求項９または１０に記載の人体部位温熱器具。
【請求項１２】
前記面状発熱部は、通電により発熱する導電糸により構成もしくは該導電糸を内包した多数の縦糸と多数の横糸とを織ることにより形成された発熱性織布と、前記発熱性織布の両側部に設けられるとともに、前記複数の縦糸の前記導電糸のそれぞれの端部に接続された向かい合う一組の電極と、少なくとも前記発熱性織布の表面を被包する絶縁性外皮と、前記一組の電極に接続され、前記発熱性織布の前記導電糸を発熱させるため電源部とを有する面状発熱体を備えている請求項１ないし１１のいずれかに記載の人体部位温熱器具。
【請求項１３】
少なくとも加温時において微量放射線および遠赤外線を発生し、手による保持もしくは手に装着可能であり、人体の適宜部位にあてることもしくは人体の適宜部位を載置することにより該適宜部位に温熱作用を付与するための温熱具と、前記温熱具を載置可能であり、かつ載置された前記温熱具を加温するための面状発熱部を有する温熱具加温器とを備える人体部位温熱器具であって、
前記温熱具は、天然微量放射性鉱物および遠赤外線発生物質を含有し、前記温熱具加温器と接続されていないものであり、かつ、前記面状発熱部の平坦面上に載置するための平坦面と、該平坦面の反対側の面に形成された凸状湾曲面を有しており、手による保持もしくは手に装着した状態にて人体の適宜部位にあてることにより該適宜部位に温熱作用を付与することが可能であるとともに、前記温熱具加温器上もしくは床上に載置した状態にて、前記凸状湾曲面上に足の土踏まず付近を載置させることにより該部位に温熱作用を付与することが可能となっていることを特徴とする人体部位温熱器具。
【請求項１４】
前記遠赤外線発生物質は、富士溶岩石である請求項１３に記載の人体部位温熱器具。
【請求項１５】
前記温熱具加温器は、前記面状発熱部の表面に人体の適宜部位を載置することにより、該適宜部位を温熱可能なものであり、かつ、前記面状発熱部は、通電により発熱する面状発熱体と、該面状発熱体の上面を被包し、かつ、少なくとも加温時にマイナスイオン発生作用を有するカバー体を有するものであり、さらに、前記カバー体は、前記面状発熱体の発熱により、所定の温度に加温されると色彩が変化する色彩変化機能を備えているものである請求項１３または１４に記載の人体部位温熱器具。
【請求項１６】
前記温熱具は、バンド装着用溝と、該バンド装着用溝に装着されたバンドを備え、前記バンドと前記温熱具間に指を挿入することにより、手に装着可能なものである請求項１３ないし１５のいずれかに記載の人体部位温熱器具。
【考案の詳細な説明】
【技術分野】
【０００１】
この考案は、人体の適宜部位を温熱治療するための人体部位温熱器具に関する。具体的には、家庭、オフィスなどで人体の適宜部位（適宜局所）を温熱治療して簡易的に岩盤浴のような効果を施すことができる人体部位温熱器具に関する。
【背景技術】
【０００２】
従来、人体の適宜部位を温熱する温熱具として、内部に水分を含む粒状石と粒状トルマリン石を混在させた重圧体と充填した本体と、表層または全体がトルマリンで、かつその一部に面ファスナーを装着した指圧体と、電子レンジを熱源とする温熱指圧器（特許文献１参照）、表面に指圧凸部を有する主体内部に形成した収容空間に、微量放射線を放出すると共にマイナスイオンを発生させる芯材を収容した健康器具（特許文献２参照）などが公開されている。
【０００３】
【特許文献１】特開２００３−１８０７９３号公報
【特許文献２】特開２００４−３４４１９２号公報
【考案の開示】
【考案が解決しようとする課題】
【０００４】
特許文献１の温熱指圧器は、指圧体を本体に面ファスナーで取り付けて腹・胸部、背・腰などに当てて指圧するもので、手に持って治療部に当てることができるものではない。
引用文献２の健康器具は、主体部の収容空間に微量放射線を放出すると共にマイナスイオンを発生させる芯材を収容し、主体部に指圧凸部を設けたもので、指圧凸部による指圧効果を具備し、指を動かしながら使用して脳の活性化を図ることができ、かつ主体部内の芯材の微量放射線、マイナスイオンを身体に及ぼすものである。しかし、この健康器具は加熱する手段がないので、温熱効果および遠赤外線による効果がない。
本考案の目的は、持ち運びも可能なため、家庭、オフィス等で容易に使用することができ、また、目的とする対象部位（局所）への温熱、微量放射線および遠赤外線の付与が容易であり、かつ、対象部位を温熱するための温熱具の加温も容易かつ良好に行うことができる人体部位温熱器具を提供するものである。
【課題を解決するための手段】
【０００５】
上記目的を達成するものは、以下のものである。
（１）  少なくとも加温時において微量放射線および遠赤外線を発生し、手による保持もしくは手に装着可能であり、人体の適宜部位にあてることもしくは人体の適宜部位を載置することにより該部位に温熱作用を付与するための温熱具と、前記温熱具を載置可能であり、かつ載置された前記温熱具を加温するための面状発熱部を有する温熱具加温器とを備えることを特徴とする人体部位温熱器具。
【０００６】
（２）  前記温熱具は、天然微量放射性鉱物および遠赤外線発生物質を含有している上記（１）に記載の人体部位温熱器具。
（３）  前記遠赤外線発生物質は、富士溶岩石である上記（２）に記載の人体部位温熱器具。
（４）  前記温熱具は、セラミック材により成形されている上記（２）または（３）に記載の人体部位温熱器具。
（５）  前記温熱具は、前記温熱具加温器と接続されていない上記（１）ないし（４）のいずれかに記載の人体部位温熱器具。
【０００７】
（６）  前記温熱具は、前記面状発熱部の平坦面上に載置するための平坦面と、該平坦面の反対側の面に形成された凸状湾曲面を有している上記（１）ないし（５）のいずれかに記載の人体部位温熱器具。
（７）  前記温熱具は、バンド装着用溝と、該バンド装着用溝に装着されたバンドを備え、前記バンドと前記温熱具間に指を挿入することにより、手に装着可能なものである上記（１）ないし（６）のいずれかに記載の人体部位温熱器具。
【０００８】
（８）  前記温熱具加温器は、前記面状発熱部の表面に人体の適宜部位を載置することにより、該適宜部位を温熱可能なものである上記（１）ないし（７）のいずれかに記載の人体部位温熱器具。
（９）  前記面状発熱部は、通電により発熱する面状発熱体と、該面状発熱体の上面を被包し、かつ、少なくとも加温時にマイナスイオン発生作用を有するカバー体を有している上記（１）ないし（８）のいずれかに記載の人体部位温熱器具。
【０００９】
（１０）  前記カバー体は、ゲルマニウムおよび希土類元素を担持している上記（９）に記載の人体部位温熱器具。
（１１）  前記カバー体は、前記面状発熱体の発熱により、所定の温度に加温されると色彩が変化する色彩変化機能を備えている上記（９）または（１０）に記載の人体部位温熱器具。
（１２）  前記面状発熱部は、通電により発熱する導電糸により構成もしくは該導電糸を内包した多数の縦糸と多数の横糸とを織ることにより形成された発熱性織布と、前記発熱性織布の両側部に設けられるとともに、前記複数の縦糸の前記導電糸のそれぞれの端部に接続された向かい合う一組の電極と、少なくとも前記発熱性織布の表面を被包する絶縁性外皮と、前記一組の電極に接続され、前記発熱性織布の前記導電糸を発熱させるため電源部とを有する面状発熱体を備えている上記（１）ないし（１１）のいずれかに記載の人体部位温熱器具。
【００１０】
（１３）  少なくとも加温時において微量放射線および遠赤外線を発生し、手による保持もしくは手に装着可能であり、人体の適宜部位にあてることもしくは人体の適宜部位を載置することにより該適宜部位に温熱作用を付与するための温熱具と、前記温熱具を載置可能であり、かつ載置された前記温熱具を加温するための面状発熱部を有する温熱具加温器とを備える人体部位温熱器具であって、
前記温熱具は、天然微量放射性鉱物および遠赤外線発生物質を含有し、前記温熱具加温器と接続されていないものであり、かつ、前記面状発熱部の平坦面上に載置するための平坦面と、該平坦面の反対側の面に形成された凸状湾曲面を有しており、手による保持もしくは手に装着した状態にて人体の適宜部位にあてることにより該適宜部位に温熱作用を付与することが可能であるとともに、前記温熱具加温器上もしくは床上に載置した状態にて、前記凸状湾曲面上に足の土踏まず付近を載置させることにより該部位に温熱作用を付与することが可能となっていることを特徴とする人体部位温熱器具。
（１４）  前記遠赤外線発生物質は、富士溶岩石である上記（１３）に記載の人体部位温熱器具。
【００１１】
（１５）  前記温熱具加温器は、前記面状発熱部の表面に人体の適宜部位を載置することにより、該適宜部位を温熱可能なものであり、かつ、前記面状発熱部は、通電により発熱する面状発熱体と、該面状発熱体の上面を被包し、かつ、少なくとも加温時にマイナスイオン発生作用を有するカバー体を有するものであり、さらに、前記カバー体は、前記面状発熱体の発熱により、所定の温度に加温されると色彩が変化する色彩変化機能を備えているものである上記（１３）または（１４）に記載の人体部位温熱器具。
（１６）  前記温熱具は、バンド装着用溝と、該バンド装着用溝に装着されたバンドを備え、前記バンドと前記温熱具間に指を挿入することにより、手に装着可能なものである上記（１３）ないし（１５）のいずれかに記載の人体部位温熱器具。
【考案の効果】
【００１２】
上記（１）の考案の人体部位温熱器具によれば、少なくとも加温時において微量放射線および遠赤外線を発生し、手による保持もしくは手に装着可能であり、人体の適宜部位（局所）にあてることもしくは人体の適宜部位（局所）を載置することにより該適宜部位に温熱作用を付与するための温熱具と、前記温熱具を載置可能であり、かつ載置された前記温熱具を加温するための面状発熱部を有する温熱具加温器とを備えているので、温熱具の加温を容易かつ確実に行うことができるとともに、持ち運びも可能なため、家庭、オフィス等で容易に使用することができ、簡易的に岩盤浴的温熱効果を与えることができる。
上記（３）の考案によれば、温熱具は、遠赤外線発生物質である富士溶岩石を含有しているので、十分な遠赤外線を発生するとともに、良好な岩盤浴作用も発揮する。
上記（５）の考案によれば、前記温熱具は、前記温熱具加温器と接続されていないので、操作性が良好である。
【００１３】
上記（６）の考案によれば、温熱具は、面状発熱部の平坦面上に載置するための平坦面を有するため、面状発熱部からの電熱が良好なものとなり、また、温熱具は、平坦面の反対側の面に形成された凸状湾曲面を有しているので、人体部位への当接操作が容易なものとなる。
上記（７）の考案によれば、温熱具は、バンド装着用溝と、バンド装着用溝に装着されたバンドを備え、バンドと温熱具間に指を挿入することにより、手に装着可能なものであるので、人体部位への当接操作が容易なものとなる。
上記（８）の考案によれば、温熱具加温器は、面状発熱部の表面に人体の適宜部位を載置可能であり、温熱具加温器による人体部位の温熱をも行うことができる。
上記（９）の考案の人体部位温熱器具によれば、面状発熱部は、通電により発熱する面状発熱体と、面状発熱体の上面を被包し、かつ、少なくとも加温時にマイナスイオン発生作用を有するカバー体を有しているので、使用時に温熱具加温器付近をマイナスイオン含有雰囲気とすることができる。
【００１４】
上記（１１）の考案の人体部位温熱器具によれば、カバー体は、面状発熱体の発熱により、所定の温度に加温されると色彩が変化する色彩変化機能を備えているので、加温状況を容易に確認することができる。
上記（１２）の考案の人体部位温熱器具によれば、面状発熱部は、通電により発熱する導電糸により構成もしくは導電糸を内包した多数の縦糸と多数の横糸とを織ることにより形成された発熱性織布と、発熱性織布の両側部に設けられるとともに、複数の縦糸の導電糸のそれぞれの端部に接続された向かい合う一組の電極と、少なくとも発熱性織布の表面を被包する絶縁性外皮と、一組の電極に接続され、発熱性織布の導電糸を発熱させるため電源部とを有する面状発熱体を備えているので、良好な発熱が可能であるとともに、導電糸もしくは電極破断時における過剰加熱の発生がない。
【考案を実施するための最良の形態】
【００１５】
この考案の人体部位温熱器具を図面に示した実施例を用いて説明する。
図１は、本考案の人体部位温熱器具（温熱具加温器の面状発熱部に温熱具を載置した状態）の平面図、図２は、図１の横断面図、図３は、本考案の人体部位温熱器具の温熱具加温器の一部破断平面図、図４は、面状発熱部の部分破断平面図、図５は、図４の面状発熱部の縦側面図、図６は、温熱具加温器のカバー体の平面図、図７は、温熱具加温器のカバー体の側面図、図８は、本考案の人体部位温熱器具の温熱具の平面図、図９は、図８に示した温熱具の正面図、図１０は、図８に示した温熱具に装着されるバンドの斜視図、図１１は、本考案の人体部位温熱器具の温熱具を手に装着した状態の斜視図、図１２は、本考案の人体部位温熱器具の温熱具の他の例の平面図、図１３は、図１２に示した温熱具の正面図である。
【００１６】
本考案の人体部位温熱器具１は、少なくとも加温時において微量放射線および遠赤外線を発生し、手による保持もしくは手に装着可能であり、人体の適宜部位（局所）にあてることにもしくは人体の適宜部位（局所）を載置することにより適宜部位に温熱作用を付与するための温熱具２と、温熱具２を載置可能であり、かつ載置された温熱具２を加温するための面状発熱部１２を有する温熱具加温器１０とを備えている。
【００１７】
また、本考案の人体部位温熱器具１は、少なくとも加温時において微量放射線および遠赤外線を発生し、手による保持もしくは手に装着可能であり、人体の適宜部位（局所）にあてることにもしくは人体の適宜部位（局所）を載置することにより適宜部位に温熱作用を付与するための温熱具２と、温熱具２を載置可能であり、かつ載置された温熱具２を加温するための面状発熱部１２を有する温熱具加温器１０とを備えるものであり、そして、温熱具２は、天然微量放射性鉱物および遠赤外線発生物質を含有し、温熱具加温器と接続されていないものであり、かつ、面状発熱部１２の平坦面上に載置するための平坦面３ｂと、平坦面３ｂの反対側の面に形成された凸状湾曲面３ａを有しており、手による保持もしくは手に装着した状態にて人体の適宜部位（局所）にあてることにより適宜部位（局所）に温熱作用を付与することが可能であるとともに、前記温熱具加温器上もしくは床上に載置した状態にて、凸状湾曲面３ａ上に足の土踏まず付近を載置させることにより部位に温熱作用を付与することが可能となっている。
この人体部位温熱器具１は、ハンドタイプの温熱具２と、この温熱具２を加温するための温熱具加温器１０とを備える。
【００１８】
温熱具２は、少なくとも加温時において微量放射線および遠赤外線を発生する機能を備えている。
具体的には、温熱具２は、天然微量放射性鉱物および遠赤外線発生物質を含有している。
含有する遠赤外線発生物質としては、発熱体や体温によって波長４〜１６μm程度の遠赤外線を放射するものが好ましく、例えばＮa2Ｏ、Ｋ2Ｏ、ＣaＯ、ＢaＯ、ＭgＯ、Ｆe2Ｏ、ＦeＯ、Ｆe2Ｏ3、ＳiＯ2、Ａl2Ｏ3、ＺrＯ、ＺrＯ2、ＢeＯ、Ｖ2Ｏ3、Ｖ2Ｏ5、Ｙ2Ｏ3、ＣoＯ、ＣuＯ、Ｃu2Ｏ、ＮiＯ、Ｎi2Ｏ3、ＭnＯ、ＭnＯ2、ＴiＯ、ＴiＯ2、ＺnＯ、ＴhＯ2などの無機質酸化物を組み合わせて上記波長の遠赤外線が放射されるようにしたもの、また、遠赤外線放射性天然鉱物などを用いることができる。遠赤外線放射性天然鉱物としては、例えば、富士溶岩石（ＳｉＯ２、Ａｌ２Ｏ３、Ｆｅ２Ｏ３、ＣａＯ、ＭｇＯ、Ｎｅ２Ｏ、ＴｌＯ２、Ｋ２Ｏ、ＭｎＯ、Ｐ２Ｏ５、Ｖ２Ｏ５、ＢａＯ、ＳｒＯ、Ｃｌ、ＣｕＯ、ＺｎＯ、ＺｒＯ２、ＳＯ３、Ｇａ２Ｏ３、Ｃｏ２Ｏ３、Ｒｂ２Ｏ）、大谷石、シリカアルミナ系ミネラル鉱石などが使用できる。特に、富士溶岩石の焼成粉が好ましい。
【００１９】
また、含有する天然微量放射性鉱物としては、ニンギョウ石、センウラン鉱、カツレン石、トリウム石、モナザイト、サマルスキー石、ヘエルグリン石、ゼノタイム、トロゴム石、変種ジルコン、パイロクロワからなる群より選択される少なくとも１種のものであることが好ましい。上記の１種のものでも２種以上の混合物でもよい。特に、モナザイト［（Ｃｅ，Ｌａ，Ｔｈ）ＰＯ４，ＴｈＯ２  ６％，Ｕ３Ｏ８  ０．３％］、パイロクロワ［（Ｎａ，Ｃａ）（Ｎｂ，Ｔａ，Ｔｉ）２Ｏ６（Ｏ，ＯＨ，Ｆ），ＴｈＯ２  ０．５％，Ｕ３Ｏ８  １％］、ゼノタイム［ＹＰＯ４  ｅｔｃ，ＴｈＯ２  １％，Ｕ３Ｏ８  １％］等が好ましい。
天然微量放射性鉱物が放射する放射線は、微弱で微量であり、身体に悪影響を及ぼすことはなく、健康増進をさせるものである。これが、所謂ホルミシス効果である。放射線により身体の免疫力を高め、かつ細胞の働きを活発として新陳代謝を促進して、健康増進を図ることが期待できる。
そして、温熱具２は、上記天然微量放射性鉱物および遠赤外線発生物質を含有するセラミックス成形物であることが好ましい。なお、温熱具２は、上記天然微量放射性鉱物および遠赤外線発生物質を含有する樹脂成形物であってもよい。
【００２０】
そして、本考案の人体部位温熱器具１の温熱具２は、図１、図８、図９および図１１に示すように、ハンドタイプのものとなっており、手による保持もしくは手に装着可能な大きさであり、かつ、人体の適宜部位（局所）に当接することにより適宜部位を加温可能である。
そして、この実施例における温熱具２は、人体部位当接面３ａと温熱具加温器載置面３ｂを有する。具体的には、温熱具は、温熱具加温器載置面３ｂは、温熱具加温器１０の面状発熱部の平坦面上に載置するための平坦面となっており、人体部位当接面３ａは、温熱具加温器載置面３ｂの反対側の面に形成された凸状湾曲面となっている。
【００２１】
特に、この実施例の温熱具２は、通常の成人の手の中に収まる程度の大きさの略楕円状セラミック成形物であり、人体部位当接面３ａは、人体部位に当てるに適した大きさであり、中央部に頂点を有する凸状湾曲面となっている。上面の人体部位当接面３ａを凸状湾曲面とすることにより、人体部位に押し当てた（当接させた）ときまたは人体部位（例えば、土踏まず）を載置したとき、温熱具の保有する熱、発生する微量放射線および遠赤外線を治療部位に確実に付与することができる。
また、温熱具加温器載置面３ｂは、温熱具加温器１０の面状発熱部の平坦部からの熱が確実に伝達されるように、平坦面となっており、この温熱具加温器載置面３ｂが、温熱具を手により把持する場合には、把持面となる。温熱具の大きさは手に載せる大きさとしてあるが、これに限るものではない。また、形状を略楕円形としてあるが、これに限られるものではなく、円形、多角形状など適宜形状とできる。この温熱具２では、手で掴んでもしくは手に装着して使用できるので便利である。温熱具を手に掴んでもしくは装着された温熱具の上面を、人体部位当接面を人体部位の治療箇所に押し当てて治療できる。
さらに、この温熱具２は、温熱具加温器１０上もしくは床上に載置した状態にて、凸状湾曲面３ａ上に足の土踏まず付近を載置させることにより部位に温熱作用を付与することも可能である。
【００２２】
そして、この実施例では、温熱具２は、バンド装着用溝４と、バンド装着用溝４に装着されたバンド５を備え、バンド５と温熱具１間に指を挿入することにより、手に装着可能なものとなっている。
具体的には、温熱具２には、弾性を有するバンド５を装着する凹部４が設けられる。凹部４は、温熱具２の片側寄りの位置で、外周の上面と両側面にバンド５の幅より若干広く、かつバンド５の厚みより深い凹部となっている。温熱具２の底面の温熱具加温器載置面は平坦であり、凹部は設けられていない。凹部４は、温熱具２の外周の上面と側面に設けてあるが、これに限るものでなく、上面だけ、或いは全周に設けることもでき、また、温熱具２の一箇所に設けてあるが複数箇所に設けることもできる。
【００２３】
バンド５は、弾性を有することが望ましく、図１０に示す実施例では、輪状ゴムバンドを用いている。図１１に示すように、輪状ゴムバンド５は、温熱具２の凹部４に装着時、ゴムバンド５と温熱具２の底面である温熱具加温器載置面３ｂとの間に手を入れることができる余裕を持っている。輪状ゴムバンド５は、温熱具２の凹部４に着脱自由として、温熱具で加熱するときは、外して加熱し、加熱後ゴムバンドを装着して手をはめて、手に掴むようにするのが好ましい。このような構成とすることにより、温熱具は手に容易に装着可能であるとともに、人体部位への当接操作も容易なものとなる。なお、バンドは、ゴムバンドの場合を示したが、これに限るものではなく、弾性を有する紐等でも良く、また、弾性を備えないものであってもよい。また、バンドは、始端および終端を有する帯状かつ連結機能を備えるものであってもよい。連結機能としては、面ファスナー、ホック、ボタンなどが使用できる。
【００２４】
また、温熱具としては、図１２および図１３に示すような温熱具２ａであってもよい。この温熱具２ａは、板状となっており、両面が平坦状となっている。この温熱具２ａでは、いずれの面も人体部位当接面、温熱具加温器載置面として使用できる。この板状温熱具２ａも、上述した温熱具２と同様に、手で持って人体部位当接面を人体部位に当てて使用することができる。さらに、着衣のポケットに収納して使用することも可能である。そして、この板状温熱具にも、上述した凹部およびバンドを設けてもよい。
【００２５】
次に、本考案の人体部位温熱器具１の温熱具加温器１０について説明する。
図１ないし図５に示すように、温熱具加温器１０は、上述した温熱具２を載置可能であり、かつ載置された温熱具２を加温するための面状発熱部１２を有するものである。
【００２６】
図１ないし図３に示すように、温熱具加温器１０は、面状発熱部１２を収容する開口部１１ａを有するハウジング１１を備え、面状発熱部１２は、ハウジング１１内に周縁部が収納され、かつ上面の大半が露出するように収納されている。
そして、この実施例における温熱具加温器１０は、図１ないし図５に示すように、面状発熱部１２を有し、面状発熱部は、通電により発熱する面状発熱体１３と、面状発熱体の上面を被包し、かつ、少なくとも加温時にマイナスイオン発生作用を有するカバー体１４を有している。
【００２７】
面状発熱部１２は、図４および図５に示すように、通電により発熱する導電糸により構成もしくは導電糸を内包した多数の縦糸１９ａと多数の横糸１９ｂとを織ることにより形成された発熱性織布１９と、発熱性織布の両側部に設けられるとともに、複数の縦糸の導電糸のそれぞれの端部に接続された向かい合う一組の電極と、少なくとも発熱性織布の表面を被包する絶縁性外皮とからなる面状発熱体１３と、一組の電極に接続され、発熱性織布の導電糸を発熱させるため電源部２２とを備えている。そして、電源部２２には、温度調節つまみ２６が電気的に接続されており、発熱温度を調整可能なものとなっている。さらに、電源部（制御基板を含む）２２には、電源スイッチ２４も接続されている。
【００２８】
面状発熱体１３は、両側に平行にかつ向かい合うように配置された電極１８ａ、１８ｂと、電極１８ａ、１８ｂを電気的に接続する導電糸からなるもしくは導電子を内包した縦糸１９ａと絶縁体により形成された横糸１９ｂを織り合わせた発熱体（発熱性織布）１９と、発熱性織布の少なくとも上面を覆う絶縁外皮２０を備えている。絶縁外皮２０は、耐熱塩化ビニールシート（耐熱ＰＶＣ）、ポリエステルなどの絶縁性シートにより形成されている。
上記の面状発熱体１３は、面状であるととともに導電糸が横線状となっていることより、線面発熱体と呼ばれている。このような線面発熱体は、繊維に特別配合した導電性塗料をコーティングした電気を通す導電糸を用い、両側に電極電線を電気的に対に配置しており、並列電極構造となっている。そして、発熱性織布は、横糸に絶縁体、縦糸に導電糸を使用して織り合わせたものとなっている。
このような線面発熱体では、異常の発生時に欠陥部の導電糸の温度が上昇すると導電糸が溶融切断されて、欠陥部の糸部のみ電気の流れを止める構造になっており、異常過熱による延焼事故を防ぐことができる。なお、面状発熱体としては、上述したものが好ましいが、導電体を面状に均一に分散形成させて、面全体を均一に発熱させるタイプ、線状の発熱素子を面状に密に配置し、面状に似せて発熱させるタイプなどであってもよい。
【００２９】
さらに、図１ないし図３に示すように、この実施例では、温熱具加温器１０は、電源コード２１、電極１８ａ、１８ｂとの接続端子２３ａ、２３ｂ、電源スイッチ２４、電源ランプ２５、温度調節つまみ２６、温度センサー２９を備えている。
そして、この実施例の温熱具加温器１０は、複数の温熱具２を載置可能なものとなっており、複数の温熱具２を同時に加温可能である。
そして、この温熱具加温器１０では、ハウジング１１の底部には、メッキ鋼板等の底板１５が設けられ、底板１５の上に断熱性緩衝材１６、緩衝材１６の上に上記面状発熱体１３が配置されている。そして、ハウジング１１の角部の底面には、位置判定用の足部材１７が設けられている。
【００３０】
また、図２に示すように、面状発熱体１３の上面には、カバー体１４が配置されている。このカバー体１４は、少なくとも加温時にマイナスイオン発生作用を有する。具体的には、カバー体１４は、ゲルマニウムを担持していることが好ましい。ゲルマニウムを担持させることにより、マイナスイオン発生作用を付与できる。なお、ここでいうゲルマニウムは、ゲルマニウム元素のみならず、有機ゲルマニウム、無機ゲルマニウムなどのゲルマニウム化合物を包含するものである。さらに、カバー体１４は、希土類元素を担持することが好ましい。希土類元素を担持させることにより、マイナスイオン発生作用がより高いものとなる。ゲルマニウムとしては、精製物を用いてもよいが、ゲルマニウム鉱石粉末を用いることが好ましい。また、希土類元素としては、精製物を用いてもよいが、希土類元素含有鉱石粉末（レアアース鉱石粉末）を用いることが好ましい。
そして、ゲルマニウム、希土類元素のカバー体への担持方法としては、カバー体を構成する繊維自体にゲルマニウム、希土類元素含有物を練り込まれたものを使用すること、また、ゲルマニウム、希土類元素含有処理剤により、カバー体形成材料を処理（例えば、上記処理剤を塗布または処理剤に浸漬）することにより行うことができる。
【００３１】
カバー体１４は、図３に示すように、少なくとも１または複数個の温熱具２を載置可能な広さを有する矩形状のものとなっている。図３に示すように、ハウジング１１の開口部１１ａとほぼ同じもしくは若干大きいものとし、これを面状発熱体１３の絶縁外皮の上面に貼り付けることが望ましい。なお、カバー体１４は、面状発熱体１３に着脱可能に設けてもよい。このようにすることにより、カバー体１４は、洗浄もしくは交換可能とすることができる。
【００３２】
さらに、カバー体１４は、面状発熱部１２の発熱により、所定の温度に加温されると色彩が変化する色彩変化機能を備えていることが好ましい。なお、ここで言う色彩変化とは、色相変化、明度変化、彩度変化のいずれかもしくは複数の組合せを包含するものである。
色彩変化機能は、カバー体１４を構成する素材に、色彩が温度により変化する処理剤を塗布することにより付与してもよい。また、色彩が温度により変化する処理剤により処理された繊維を用いることにより、色彩変化機能を有するカバー体１４としてもよい。
【００３３】
色彩が温度により変化する処理剤としては、温度により色彩が変化するカプセルを含有するものが用いられる。このカプセルには、温度上昇により粘性が低下する基材（例えば、バター状液体）に色素と発色剤が添加されたものが封入されている。そして、温度が上がり基材が柔らかくなると色素と発色剤が離れて色彩が消え、温度が下がり基材が固くなると、色素と発色剤がくっついて発色する。ある温度以下ではカバー体の色彩は発色しており、一定の温度以上になると、色彩が消えて適温になったことを判断できる。温度による色の変化は、例えば、２７℃で変化が始まり、３０℃程度で完全に変わるものが好ましい。このようにすることにより、面状発熱体１３の適温到達を視覚により容易に確認できる。
【図面の簡単な説明】
【００３４】
【図１】図１は、本考案の人体部位温熱器具（温熱具加温器の面状発熱部に温熱具を載置した状態）の平面図である。
【図２】図２は、図１の横断面図である。
【図３】図３は、本考案の人体部位温熱器具の温熱具加温器の一部破断平面図である。
【図４】図４は、面状発熱部の部分破断平面図である。
【図５】図５は、図４の面状発熱部の縦側面図である。
【図６】図６は、温熱具加温器のカバー体の平面図である。
【図７】図７は、温熱具加温器のカバー体の側面図である。
【図８】図８は、本考案の人体部位温熱器具の温熱具の平面図である。
【図９】図９は、図８に示した温熱具の正面図である。
【図１０】図１０は、図８に示した温熱具に装着されるバンドの斜視図である。
【図１１】図１１は、本考案の人体部位温熱器具の温熱具を手に装着した状態の斜視図である。
【図１２】図１２は、本考案の人体部位温熱器具の温熱具の他の例の平面図である。
【図１３】図１３は、図１２に示した温熱具の正面図である。
【符号の説明】
【００３５】
１  人体部位温熱器具
２  温熱具
３ａ  人体部位当接面
３ｂ  温熱具加温器載置面
４  凹部
５  バンド
１０  温熱具加温器
１１  ハウジング
１２  面状発熱部
１３  面状発熱体
１４  カバー体 
１８ａ  電極
１８ｂ  電極
１９  発熱性織布
２０  絶縁外皮
【図１】
0003136038.tif 000003
【図２】
0003136038.tif 000004
【図３】
0003136038.tif 000005
【図４】
0003136038.tif 000006
【図５】
0003136038.tif 000007
【図６】
0003136038.tif 000008
【図７】
0003136038.tif 000009
【図８】
0003136038.tif 000010
【図９】
0003136038.tif 000011
【図１０】
0003136038.tif 000012
【図１１】
0003136038.tif 000013
【図１２】
0003136038.tif 000014
【図１３】
0003136038.tif 000015
【手続補正書】
【提出日】平成19年7月25日(2007.7.25)
【手続補正１】
【補正対象書類名】実用新案登録請求の範囲
【補正対象項目名】全文
【補正方法】変更
【補正の内容】
【実用新案登録請求の範囲】
【請求項１】
少なくとも加温時において微量放射線および遠赤外線を発生し、手による保持もしくは手に装着可能であり、人体の適宜部位にあてることもしくは人体の適宜部位を載置することにより該部位に温熱作用を付与するための温熱具と、前記温熱具を載置可能であり、かつ載置された前記温熱具を加温するための面状発熱部を有する温熱具加温器とを備えることを特徴とする人体部位温熱器具。
【請求項２】
前記温熱具は、天然微量放射性鉱物および遠赤外線発生物質を含有している請求項１に記載の人体部位温熱器具。
【請求項３】
前記遠赤外線発生物質は、遠赤外線放射性天然鉱物である請求項２に記載の人体部位温熱器具。
【請求項４】
前記温熱具は、セラミック材により成形されている請求項２または３に記載の人体部位温熱器具。
【請求項５】
前記温熱具は、前記温熱具加温器と接続されていない請求項１ないし４のいずれかに記載の人体部位温熱器具。
【請求項６】
前記温熱具は、前記面状発熱部の平坦面上に載置するための平坦面と、該平坦面の反対側の面に形成された凸状湾曲面を有している請求項１ないし５のいずれかに記載の人体部位温熱器具。
【請求項７】
前記温熱具は、バンド装着用溝と、該バンド装着用溝に装着されたバンドを備え、前記バンドと前記温熱具間に指を挿入することにより、手に装着可能なものである請求項１ないし６のいずれかに記載の人体部位温熱器具。
【請求項８】
前記温熱具加温器は、前記面状発熱部の表面に人体の適宜部位を載置することにより、該適宜部位を温熱可能なものである請求項１ないし７のいずれかに記載の人体部位温熱器具。
【請求項９】
前記面状発熱部は、通電により発熱する面状発熱体と、該面状発熱体の上面を被包し、かつ、少なくとも加温時にマイナスイオン発生作用を有するカバー体を有している請求項１ないし８のいずれかに記載の人体部位温熱器具。
【請求項１０】
前記カバー体は、ゲルマニウムおよび希土類元素を担持している請求項９に記載の人体部位温熱器具。
【請求項１１】
前記カバー体は、前記面状発熱体の発熱により、所定の温度に加温されると色彩が変化する色彩変化機能を備えている請求項９または１０に記載の人体部位温熱器具。
【請求項１２】
前記面状発熱部は、通電により発熱する導電糸により構成もしくは該導電糸を内包した多数の縦糸と多数の横糸とを織ることにより形成された発熱性織布と、前記発熱性織布の両側部に設けられるとともに、前記複数の縦糸の前記導電糸のそれぞれの端部に接続された向かい合う一組の電極と、少なくとも前記発熱性織布の表面を被包する絶縁性外皮と、前記一組の電極に接続され、前記発熱性織布の前記導電糸を発熱させるため電源部とを有する面状発熱体を備えている請求項１ないし１１のいずれかに記載の人体部位温熱器具。
【請求項１３】
少なくとも加温時において微量放射線および遠赤外線を発生し、手による保持もしくは手に装着可能であり、人体の適宜部位にあてることもしくは人体の適宜部位を載置することにより該適宜部位に温熱作用を付与するための温熱具と、前記温熱具を載置可能であり、かつ載置された前記温熱具を加温するための面状発熱部を有する温熱具加温器とを備える人体部位温熱器具であって、
前記温熱具は、天然微量放射性鉱物および遠赤外線発生物質を含有し、前記温熱具加温器と接続されていないものであり、かつ、前記面状発熱部の平坦面上に載置するための平坦面と、該平坦面の反対側の面に形成された凸状湾曲面を有しており、手による保持もしくは手に装着した状態にて人体の適宜部位にあてることにより該適宜部位に温熱作用を付与することが可能であるとともに、前記温熱具加温器上もしくは床上に載置した状態にて、前記凸状湾曲面上に足の土踏まず付近を載置させることにより該部位に温熱作用を付与することが可能となっていることを特徴とする人体部位温熱器具。
【請求項１４】
前記遠赤外線発生物質は、遠赤外線放射性天然鉱物である請求項１３に記載の人体部位温熱器具。
【請求項１５】
前記温熱具加温器は、前記面状発熱部の表面に人体の適宜部位を載置することにより、該適宜部位を温熱可能なものであり、かつ、前記面状発熱部は、通電により発熱する面状発熱体と、該面状発熱体の上面を被包し、かつ、少なくとも加温時にマイナスイオン発生作用を有するカバー体を有するものであり、さらに、前記カバー体は、前記面状発熱体の発熱により、所定の温度に加温されると色彩が変化する色彩変化機能を備えているものである請求項１３または１４に記載の人体部位温熱器具。
【請求項１６】
前記温熱具は、バンド装着用溝と、該バンド装着用溝に装着されたバンドを備え、前記バンドと前記温熱具間に指を挿入することにより、手に装着可能なものである請求項１３ないし１５のいずれかに記載の人体部位温熱器具。
【手続補正２】
【補正対象書類名】明細書
【補正対象項目名】全文
【補正方法】変更
【補正の内容】
【考案の詳細な説明】
【技術分野】
【０００１】
この考案は、人体の適宜部位を温熱治療するための人体部位温熱器具に関する。具体的には、家庭、オフィスなどで人体の適宜部位（適宜局所）を温熱治療して簡易的に岩盤浴のような効果を施すことができる人体部位温熱器具に関する。
【背景技術】
【０００２】
従来、人体の適宜部位を温熱する温熱具として、内部に水分を含む粒状石と粒状トルマリン石を混在させた重圧体と充填した本体と、表層または全体がトルマリンで、かつその一部に面ファスナーを装着した指圧体と、電子レンジを熱源とする温熱指圧器（特許文献１参照）、表面に指圧凸部を有する主体内部に形成した収容空間に、微量放射線を放出すると共にマイナスイオンを発生させる芯材を収容した健康器具（特許文献２参照）などが公開されている。
【０００３】
【特許文献１】特開２００３−１８０７９３号公報
【特許文献２】特開２００４−３４４１９２号公報
【考案の開示】
【考案が解決しようとする課題】
【０００４】
特許文献１の温熱指圧器は、指圧体を本体に面ファスナーで取り付けて腹・胸部、背・腰などに当てて指圧するもので、手に持って治療部に当てることができるものではない。
引用文献２の健康器具は、主体部の収容空間に微量放射線を放出すると共にマイナスイオンを発生させる芯材を収容し、主体部に指圧凸部を設けたもので、指圧凸部による指圧効果を具備し、指を動かしながら使用して脳の活性化を図ることができ、かつ主体部内の芯材の微量放射線、マイナスイオンを身体に及ぼすものである。しかし、この健康器具は加熱する手段がないので、温熱効果および遠赤外線による効果がない。
本考案の目的は、持ち運びも可能なため、家庭、オフィス等で容易に使用することができ、また、目的とする対象部位（局所）への温熱、微量放射線および遠赤外線の付与が容易であり、かつ、対象部位を温熱するための温熱具の加温も容易かつ良好に行うことができる人体部位温熱器具を提供するものである。
【課題を解決するための手段】
【０００５】
上記目的を達成するものは、以下のものである。
（１）  少なくとも加温時において微量放射線および遠赤外線を発生し、手による保持もしくは手に装着可能であり、人体の適宜部位にあてることもしくは人体の適宜部位を載置することにより該部位に温熱作用を付与するための温熱具と、前記温熱具を載置可能であり、かつ載置された前記温熱具を加温するための面状発熱部を有する温熱具加温器とを備えることを特徴とする人体部位温熱器具。
【０００６】
（２）  前記温熱具は、天然微量放射性鉱物および遠赤外線発生物質を含有している上記（１）に記載の人体部位温熱器具。
（３）  前記遠赤外線発生物質は、遠赤外線放射性天然鉱物である上記（２）に記載の人体部位温熱器具。
（４）  前記温熱具は、セラミック材により成形されている上記（２）または（３）に記載の人体部位温熱器具。
（５）  前記温熱具は、前記温熱具加温器と接続されていない上記（１）ないし（４）のいずれかに記載の人体部位温熱器具。
【０００７】
（６）  前記温熱具は、前記面状発熱部の平坦面上に載置するための平坦面と、該平坦面の反対側の面に形成された凸状湾曲面を有している上記（１）ないし（５）のいずれかに記載の人体部位温熱器具。
（７）  前記温熱具は、バンド装着用溝と、該バンド装着用溝に装着されたバンドを備え、前記バンドと前記温熱具間に指を挿入することにより、手に装着可能なものである上記（１）ないし（６）のいずれかに記載の人体部位温熱器具。
【０００８】
（８）  前記温熱具加温器は、前記面状発熱部の表面に人体の適宜部位を載置することにより、該適宜部位を温熱可能なものである上記（１）ないし（７）のいずれかに記載の人体部位温熱器具。
（９）  前記面状発熱部は、通電により発熱する面状発熱体と、該面状発熱体の上面を被包し、かつ、少なくとも加温時にマイナスイオン発生作用を有するカバー体を有している上記（１）ないし（８）のいずれかに記載の人体部位温熱器具。
【０００９】
（１０）  前記カバー体は、ゲルマニウムおよび希土類元素を担持している上記（９）に記載の人体部位温熱器具。
（１１）  前記カバー体は、前記面状発熱体の発熱により、所定の温度に加温されると色彩が変化する色彩変化機能を備えている上記（９）または（１０）に記載の人体部位温熱器具。
（１２）  前記面状発熱部は、通電により発熱する導電糸により構成もしくは該導電糸を内包した多数の縦糸と多数の横糸とを織ることにより形成された発熱性織布と、前記発熱性織布の両側部に設けられるとともに、前記複数の縦糸の前記導電糸のそれぞれの端部に接続された向かい合う一組の電極と、少なくとも前記発熱性織布の表面を被包する絶縁性外皮と、前記一組の電極に接続され、前記発熱性織布の前記導電糸を発熱させるため電源部とを有する面状発熱体を備えている上記（１）ないし（１１）のいずれかに記載の人体部位温熱器具。
【００１０】
（１３）  少なくとも加温時において微量放射線および遠赤外線を発生し、手による保持もしくは手に装着可能であり、人体の適宜部位にあてることもしくは人体の適宜部位を載置することにより該適宜部位に温熱作用を付与するための温熱具と、前記温熱具を載置可能であり、かつ載置された前記温熱具を加温するための面状発熱部を有する温熱具加温器とを備える人体部位温熱器具であって、
前記温熱具は、天然微量放射性鉱物および遠赤外線発生物質を含有し、前記温熱具加温器と接続されていないものであり、かつ、前記面状発熱部の平坦面上に載置するための平坦面と、該平坦面の反対側の面に形成された凸状湾曲面を有しており、手による保持もしくは手に装着した状態にて人体の適宜部位にあてることにより該適宜部位に温熱作用を付与することが可能であるとともに、前記温熱具加温器上もしくは床上に載置した状態にて、前記凸状湾曲面上に足の土踏まず付近を載置させることにより該部位に温熱作用を付与することが可能となっていることを特徴とする人体部位温熱器具。
（１４）  前記遠赤外線発生物質は、遠赤外線放射性天然鉱物である上記（１３）に記載の人体部位温熱器具。
【００１１】
（１５）  前記温熱具加温器は、前記面状発熱部の表面に人体の適宜部位を載置することにより、該適宜部位を温熱可能なものであり、かつ、前記面状発熱部は、通電により発熱する面状発熱体と、該面状発熱体の上面を被包し、かつ、少なくとも加温時にマイナスイオン発生作用を有するカバー体を有するものであり、さらに、前記カバー体は、前記面状発熱体の発熱により、所定の温度に加温されると色彩が変化する色彩変化機能を備えているものである上記（１３）または（１４）に記載の人体部位温熱器具。
（１６）  前記温熱具は、バンド装着用溝と、該バンド装着用溝に装着されたバンドを備え、前記バンドと前記温熱具間に指を挿入することにより、手に装着可能なものである上記（１３）ないし（１５）のいずれかに記載の人体部位温熱器具。
【考案の効果】
【００１２】
上記（１）の考案の人体部位温熱器具によれば、少なくとも加温時において微量放射線および遠赤外線を発生し、手による保持もしくは手に装着可能であり、人体の適宜部位（局所）にあてることもしくは人体の適宜部位（局所）を載置することにより該適宜部位に温熱作用を付与するための温熱具と、前記温熱具を載置可能であり、かつ載置された前記温熱具を加温するための面状発熱部を有する温熱具加温器とを備えているので、温熱具の加温を容易かつ確実に行うことができるとともに、持ち運びも可能なため、家庭、オフィス等で容易に使用することができ、簡易的に岩盤浴的温熱効果を与えることができる。
上記（３）の考案によれば、温熱具は、遠赤外線発生物質である遠赤外線放射性天然鉱物を含有しているので、十分な遠赤外線を発生するとともに、良好な岩盤浴作用も発揮する。
上記（５）の考案によれば、前記温熱具は、前記温熱具加温器と接続されていないので、操作性が良好である。
【００１３】
上記（６）の考案によれば、温熱具は、面状発熱部の平坦面上に載置するための平坦面を有するため、面状発熱部からの電熱が良好なものとなり、また、温熱具は、平坦面の反対側の面に形成された凸状湾曲面を有しているので、人体部位への当接操作が容易なものとなる。
上記（７）の考案によれば、温熱具は、バンド装着用溝と、バンド装着用溝に装着されたバンドを備え、バンドと温熱具間に指を挿入することにより、手に装着可能なものであるので、人体部位への当接操作が容易なものとなる。
上記（８）の考案によれば、温熱具加温器は、面状発熱部の表面に人体の適宜部位を載置可能であり、温熱具加温器による人体部位の温熱をも行うことができる。
上記（９）の考案の人体部位温熱器具によれば、面状発熱部は、通電により発熱する面状発熱体と、面状発熱体の上面を被包し、かつ、少なくとも加温時にマイナスイオン発生作用を有するカバー体を有しているので、使用時に温熱具加温器付近をマイナスイオン含有雰囲気とすることができる。
【００１４】
上記（１１）の考案の人体部位温熱器具によれば、カバー体は、面状発熱体の発熱により、所定の温度に加温されると色彩が変化する色彩変化機能を備えているので、加温状況を容易に確認することができる。
上記（１２）の考案の人体部位温熱器具によれば、面状発熱部は、通電により発熱する導電糸により構成もしくは導電糸を内包した多数の縦糸と多数の横糸とを織ることにより形成された発熱性織布と、発熱性織布の両側部に設けられるとともに、複数の縦糸の導電糸のそれぞれの端部に接続された向かい合う一組の電極と、少なくとも発熱性織布の表面を被包する絶縁性外皮と、一組の電極に接続され、発熱性織布の導電糸を発熱させるため電源部とを有する面状発熱体を備えているので、良好な発熱が可能であるとともに、導電糸もしくは電極破断時における過剰加熱の発生がない。
【考案を実施するための最良の形態】
【００１５】
この考案の人体部位温熱器具を図面に示した実施例を用いて説明する。
図１は、本考案の人体部位温熱器具（温熱具加温器の面状発熱部に温熱具を載置した状態）の平面図、図２は、図１の横断面図、図３は、本考案の人体部位温熱器具の温熱具加温器の一部破断平面図、図４は、面状発熱部の部分破断平面図、図５は、図４の面状発熱部の縦側面図、図６は、温熱具加温器のカバー体の平面図、図７は、温熱具加温器のカバー体の側面図、図８は、本考案の人体部位温熱器具の温熱具の平面図、図９は、図８に示した温熱具の正面図、図１０は、図８に示した温熱具に装着されるバンドの斜視図、図１１は、本考案の人体部位温熱器具の温熱具を手に装着した状態の斜視図、図１２は、本考案の人体部位温熱器具の温熱具の他の例の平面図、図１３は、図１２に示した温熱具の正面図である。
【００１６】
本考案の人体部位温熱器具１は、少なくとも加温時において微量放射線および遠赤外線を発生し、手による保持もしくは手に装着可能であり、人体の適宜部位（局所）にあてることにもしくは人体の適宜部位（局所）を載置することにより適宜部位に温熱作用を付与するための温熱具２と、温熱具２を載置可能であり、かつ載置された温熱具２を加温するための面状発熱部１２を有する温熱具加温器１０とを備えている。
【００１７】
また、本考案の人体部位温熱器具１は、少なくとも加温時において微量放射線および遠赤外線を発生し、手による保持もしくは手に装着可能であり、人体の適宜部位（局所）にあてることにもしくは人体の適宜部位（局所）を載置することにより適宜部位に温熱作用を付与するための温熱具２と、温熱具２を載置可能であり、かつ載置された温熱具２を加温するための面状発熱部１２を有する温熱具加温器１０とを備えるものであり、そして、温熱具２は、天然微量放射性鉱物および遠赤外線発生物質を含有し、温熱具加温器と接続されていないものであり、かつ、面状発熱部１２の平坦面上に載置するための平坦面３ｂと、平坦面３ｂの反対側の面に形成された凸状湾曲面３ａを有しており、手による保持もしくは手に装着した状態にて人体の適宜部位（局所）にあてることにより適宜部位（局所）に温熱作用を付与することが可能であるとともに、前記温熱具加温器上もしくは床上に載置した状態にて、凸状湾曲面３ａ上に足の土踏まず付近を載置させることにより部位に温熱作用を付与することが可能となっている。
この人体部位温熱器具１は、ハンドタイプの温熱具２と、この温熱具２を加温するための温熱具加温器１０とを備える。
【００１８】
温熱具２は、少なくとも加温時において微量放射線および遠赤外線を発生する機能を備えている。
具体的には、温熱具２は、天然微量放射性鉱物および遠赤外線発生物質を含有している。
含有する遠赤外線発生物質としては、発熱体や体温によって波長４〜１６μm程度の遠赤外線を放射するものが好ましく、例えばＮa2Ｏ、Ｋ2Ｏ、ＣaＯ、ＢaＯ、ＭgＯ、Ｆe2Ｏ、ＦeＯ、Ｆe2Ｏ3、ＳiＯ2、Ａl2Ｏ3、ＺrＯ、ＺrＯ2、ＢeＯ、Ｖ2Ｏ3、Ｖ2Ｏ5、Ｙ2Ｏ3、ＣoＯ、ＣuＯ、Ｃu2Ｏ、ＮiＯ、Ｎi2Ｏ3、ＭnＯ、ＭnＯ2、ＴiＯ、ＴiＯ2、ＺnＯ、ＴhＯ2などの無機質酸化物を組み合わせて上記波長の遠赤外線が放射されるようにしたもの、また、遠赤外線放射性天然鉱物などを用いることができる。遠赤外線放射性天然鉱物としては、例えば、富士溶岩石（ＳｉＯ２、Ａｌ２Ｏ３、Ｆｅ２Ｏ３、ＣａＯ、ＭｇＯ、Ｎｅ２Ｏ、ＴｌＯ２、Ｋ２Ｏ、ＭｎＯ、Ｐ２Ｏ５、Ｖ２Ｏ５、ＢａＯ、ＳｒＯ、Ｃｌ、ＣｕＯ、ＺｎＯ、ＺｒＯ２、ＳＯ３、Ｇａ２Ｏ３、Ｃｏ２Ｏ３、Ｒｂ２Ｏ）、大谷石、シリカアルミナ系ミネラル鉱石などが使用できる。特に、富士溶岩石の焼成粉が好ましい。
【００１９】
また、含有する天然微量放射性鉱物としては、ニンギョウ石、センウラン鉱、カツレン石、トリウム石、モナザイト、サマルスキー石、ヘエルグリン石、ゼノタイム、トロゴム石、変種ジルコン、パイロクロワからなる群より選択される少なくとも１種のものであることが好ましい。上記の１種のものでも２種以上の混合物でもよい。特に、モナザイト［（Ｃｅ，Ｌａ，Ｔｈ）ＰＯ４，ＴｈＯ２  ６％，Ｕ３Ｏ８  ０．３％］、パイロクロワ［（Ｎａ，Ｃａ）（Ｎｂ，Ｔａ，Ｔｉ）２Ｏ６（Ｏ，ＯＨ，Ｆ），ＴｈＯ２  ０．５％，Ｕ３Ｏ８  １％］、ゼノタイム［ＹＰＯ４  ｅｔｃ，ＴｈＯ２  １％，Ｕ３Ｏ８  １％］等が好ましい。
天然微量放射性鉱物が放射する放射線は、微弱で微量であり、身体に悪影響を及ぼすことはなく、健康増進をさせるものである。これが、所謂ホルミシス効果である。放射線により身体の免疫力を高め、かつ細胞の働きを活発として新陳代謝を促進して、健康増進を図ることが期待できる。
そして、温熱具２は、上記天然微量放射性鉱物および遠赤外線発生物質を含有するセラミックス成形物であることが好ましい。なお、温熱具２は、上記天然微量放射性鉱物および遠赤外線発生物質を含有する樹脂成形物であってもよい。
【００２０】
そして、本考案の人体部位温熱器具１の温熱具２は、図１、図８、図９および図１１に示すように、ハンドタイプのものとなっており、手による保持もしくは手に装着可能な大きさであり、かつ、人体の適宜部位（局所）に当接することにより適宜部位を加温可能である。
そして、この実施例における温熱具２は、人体部位当接面３ａと温熱具加温器載置面３ｂを有する。具体的には、温熱具は、温熱具加温器載置面３ｂは、温熱具加温器１０の面状発熱部の平坦面上に載置するための平坦面となっており、人体部位当接面３ａは、温熱具加温器載置面３ｂの反対側の面に形成された凸状湾曲面となっている。
【００２１】
特に、この実施例の温熱具２は、通常の成人の手の中に収まる程度の大きさの略楕円状セラミック成形物であり、人体部位当接面３ａは、人体部位に当てるに適した大きさであり、中央部に頂点を有する凸状湾曲面となっている。上面の人体部位当接面３ａを凸状湾曲面とすることにより、人体部位に押し当てた（当接させた）ときまたは人体部位（例えば、土踏まず）を載置したとき、温熱具の保有する熱、発生する微量放射線および遠赤外線を治療部位に確実に付与することができる。
また、温熱具加温器載置面３ｂは、温熱具加温器１０の面状発熱部の平坦部からの熱が確実に伝達されるように、平坦面となっており、この温熱具加温器載置面３ｂが、温熱具を手により把持する場合には、把持面となる。温熱具の大きさは手に載せる大きさとしてあるが、これに限るものではない。また、形状を略楕円形としてあるが、これに限られるものではなく、円形、多角形状など適宜形状とできる。この温熱具２では、手で掴んでもしくは手に装着して使用できるので便利である。温熱具を手に掴んでもしくは装着された温熱具の上面を、人体部位当接面を人体部位の治療箇所に押し当てて治療できる。
さらに、この温熱具２は、温熱具加温器１０上もしくは床上に載置した状態にて、凸状湾曲面３ａ上に足の土踏まず付近を載置させることにより部位に温熱作用を付与することも可能である。
【００２２】
そして、この実施例では、温熱具２は、バンド装着用溝４と、バンド装着用溝４に装着されたバンド５を備え、バンド５と温熱具１間に指を挿入することにより、手に装着可能なものとなっている。
具体的には、温熱具２には、弾性を有するバンド５を装着する凹部４が設けられる。凹部４は、温熱具２の片側寄りの位置で、外周の上面と両側面にバンド５の幅より若干広く、かつバンド５の厚みより深い凹部となっている。温熱具２の底面の温熱具加温器載置面は平坦であり、凹部は設けられていない。凹部４は、温熱具２の外周の上面と側面に設けてあるが、これに限るものでなく、上面だけ、或いは全周に設けることもでき、また、温熱具２の一箇所に設けてあるが複数箇所に設けることもできる。
【００２３】
バンド５は、弾性を有することが望ましく、図１０に示す実施例では、輪状ゴムバンドを用いている。図１１に示すように、輪状ゴムバンド５は、温熱具２の凹部４に装着時、ゴムバンド５と温熱具２の底面である温熱具加温器載置面３ｂとの間に手を入れることができる余裕を持っている。輪状ゴムバンド５は、温熱具２の凹部４に着脱自由として、温熱具で加熱するときは、外して加熱し、加熱後ゴムバンドを装着して手をはめて、手に掴むようにするのが好ましい。このような構成とすることにより、温熱具は手に容易に装着可能であるとともに、人体部位への当接操作も容易なものとなる。なお、バンドは、ゴムバンドの場合を示したが、これに限るものではなく、弾性を有する紐等でも良く、また、弾性を備えないものであってもよい。また、バンドは、始端および終端を有する帯状かつ連結機能を備えるものであってもよい。連結機能としては、面ファスナー、ホック、ボタンなどが使用できる。
【００２４】
また、温熱具としては、図１２および図１３に示すような温熱具２ａであってもよい。この温熱具２ａは、板状となっており、両面が平坦状となっている。この温熱具２ａでは、いずれの面も人体部位当接面、温熱具加温器載置面として使用できる。この板状温熱具２ａも、上述した温熱具２と同様に、手で持って人体部位当接面を人体部位に当てて使用することができる。さらに、着衣のポケットに収納して使用することも可能である。そして、この板状温熱具にも、上述した凹部およびバンドを設けてもよい。
【００２５】
次に、本考案の人体部位温熱器具１の温熱具加温器１０について説明する。
図１ないし図５に示すように、温熱具加温器１０は、上述した温熱具２を載置可能であり、かつ載置された温熱具２を加温するための面状発熱部１２を有するものである。
【００２６】
図１ないし図３に示すように、温熱具加温器１０は、面状発熱部１２を収容する開口部１１ａを有するハウジング１１を備え、面状発熱部１２は、ハウジング１１内に周縁部が収納され、かつ上面の大半が露出するように収納されている。
そして、この実施例における温熱具加温器１０は、図１ないし図５に示すように、面状発熱部１２を有し、面状発熱部は、通電により発熱する面状発熱体１３と、面状発熱体の上面を被包し、かつ、少なくとも加温時にマイナスイオン発生作用を有するカバー体１４を有している。
【００２７】
面状発熱部１２は、図４および図５に示すように、通電により発熱する導電糸により構成もしくは導電糸を内包した多数の縦糸１９ａと多数の横糸１９ｂとを織ることにより形成された発熱性織布１９と、発熱性織布の両側部に設けられるとともに、複数の縦糸の導電糸のそれぞれの端部に接続された向かい合う一組の電極と、少なくとも発熱性織布の表面を被包する絶縁性外皮とからなる面状発熱体１３と、一組の電極に接続され、発熱性織布の導電糸を発熱させるため電源部２２とを備えている。そして、電源部２２には、温度調節つまみ２６が電気的に接続されており、発熱温度を調整可能なものとなっている。さらに、電源部（制御基板を含む）２２には、電源スイッチ２４も接続されている。
【００２８】
面状発熱体１３は、両側に平行にかつ向かい合うように配置された電極１８ａ、１８ｂと、電極１８ａ、１８ｂを電気的に接続する導電糸からなるもしくは導電子を内包した縦糸１９ａと絶縁体により形成された横糸１９ｂを織り合わせた発熱体（発熱性織布）１９と、発熱性織布の少なくとも上面を覆う絶縁外皮２０を備えている。絶縁外皮２０は、耐熱塩化ビニールシート（耐熱ＰＶＣ）、ポリエステルなどの絶縁性シートにより形成されている。
上記の面状発熱体１３は、面状であるととともに導電糸が横線状となっていることより、線面発熱体と呼ばれている。このような線面発熱体は、繊維に特別配合した導電性塗料をコーティングした電気を通す導電糸を用い、両側に電極電線を電気的に対に配置しており、並列電極構造となっている。そして、発熱性織布は、横糸に絶縁体、縦糸に導電糸を使用して織り合わせたものとなっている。
このような線面発熱体では、異常の発生時に欠陥部の導電糸の温度が上昇すると導電糸が溶融切断されて、欠陥部の糸部のみ電気の流れを止める構造になっており、異常過熱による延焼事故を防ぐことができる。なお、面状発熱体としては、上述したものが好ましいが、導電体を面状に均一に分散形成させて、面全体を均一に発熱させるタイプ、線状の発熱素子を面状に密に配置し、面状に似せて発熱させるタイプなどであってもよい。
【００２９】
さらに、図１ないし図３に示すように、この実施例では、温熱具加温器１０は、電源コード２１、電極１８ａ、１８ｂとの接続端子２３ａ、２３ｂ、電源スイッチ２４、電源ランプ２５、温度調節つまみ２６、温度センサー２９を備えている。
そして、この実施例の温熱具加温器１０は、複数の温熱具２を載置可能なものとなっており、複数の温熱具２を同時に加温可能である。
そして、この温熱具加温器１０では、ハウジング１１の底部には、メッキ鋼板等の底板１５が設けられ、底板１５の上に断熱性緩衝材１６、緩衝材１６の上に上記面状発熱体１３が配置されている。そして、ハウジング１１の角部の底面には、位置判定用の足部材１７が設けられている。
【００３０】
また、図２に示すように、面状発熱体１３の上面には、カバー体１４が配置されている。このカバー体１４は、少なくとも加温時にマイナスイオン発生作用を有する。具体的には、カバー体１４は、ゲルマニウムを担持していることが好ましい。ゲルマニウムを担持させることにより、マイナスイオン発生作用を付与できる。なお、ここでいうゲルマニウムは、ゲルマニウム元素のみならず、有機ゲルマニウム、無機ゲルマニウムなどのゲルマニウム化合物を包含するものである。さらに、カバー体１４は、希土類元素を担持することが好ましい。希土類元素を担持させることにより、マイナスイオン発生作用がより高いものとなる。ゲルマニウムとしては、精製物を用いてもよいが、ゲルマニウム鉱石粉末を用いることが好ましい。また、希土類元素としては、精製物を用いてもよいが、希土類元素含有鉱石粉末（レアアース鉱石粉末）を用いることが好ましい。
そして、ゲルマニウム、希土類元素のカバー体への担持方法としては、カバー体を構成する繊維自体にゲルマニウム、希土類元素含有物を練り込まれたものを使用すること、また、ゲルマニウム、希土類元素含有処理剤により、カバー体形成材料を処理（例えば、上記処理剤を塗布または処理剤に浸漬）することにより行うことができる。
【００３１】
カバー体１４は、図３に示すように、少なくとも１または複数個の温熱具２を載置可能な広さを有する矩形状のものとなっている。図３に示すように、ハウジング１１の開口部１１ａとほぼ同じもしくは若干大きいものとし、これを面状発熱体１３の絶縁外皮の上面に貼り付けることが望ましい。なお、カバー体１４は、面状発熱体１３に着脱可能に設けてもよい。このようにすることにより、カバー体１４は、洗浄もしくは交換可能とすることができる。
【００３２】
さらに、カバー体１４は、面状発熱部１２の発熱により、所定の温度に加温されると色彩が変化する色彩変化機能を備えていることが好ましい。なお、ここで言う色彩変化とは、色相変化、明度変化、彩度変化のいずれかもしくは複数の組合せを包含するものである。
色彩変化機能は、カバー体１４を構成する素材に、色彩が温度により変化する処理剤を塗布することにより付与してもよい。また、色彩が温度により変化する処理剤により処理された繊維を用いることにより、色彩変化機能を有するカバー体１４としてもよい。
【００３３】
色彩が温度により変化する処理剤としては、温度により色彩が変化するカプセルを含有するものが用いられる。このカプセルには、温度上昇により粘性が低下する基材（例えば、バター状液体）に色素と発色剤が添加されたものが封入されている。そして、温度が上がり基材が柔らかくなると色素と発色剤が離れて色彩が消え、温度が下がり基材が固くなると、色素と発色剤がくっついて発色する。ある温度以下ではカバー体の色彩は発色しており、一定の温度以上になると、色彩が消えて適温になったことを判断できる。温度による色の変化は、例えば、２７℃で変化が始まり、３０℃程度で完全に変わるものが好ましい。このようにすることにより、面状発熱体１３の適温到達を視覚により容易に確認できる。
【図面の簡単な説明】
【００３４】
【図１】図１は、本考案の人体部位温熱器具（温熱具加温器の面状発熱部に温熱具を載置した状態）の平面図である。
【図２】図２は、図１の横断面図である。
【図３】図３は、本考案の人体部位温熱器具の温熱具加温器の一部破断平面図である。
【図４】図４は、面状発熱部の部分破断平面図である。
【図５】図５は、図４の面状発熱部の縦側面図である。
【図６】図６は、温熱具加温器のカバー体の平面図である。
【図７】図７は、温熱具加温器のカバー体の側面図である。
【図８】図８は、本考案の人体部位温熱器具の温熱具の平面図である。
【図９】図９は、図８に示した温熱具の正面図である。
【図１０】図１０は、図８に示した温熱具に装着されるバンドの斜視図である。
【図１１】図１１は、本考案の人体部位温熱器具の温熱具を手に装着した状態の斜視図である。
【図１２】図１２は、本考案の人体部位温熱器具の温熱具の他の例の平面図である。
【図１３】図１３は、図１２に示した温熱具の正面図である。
【符号の説明】
【００３５】
１  人体部位温熱器具
２  温熱具
３ａ  人体部位当接面
３ｂ  温熱具加温器載置面
４  凹部
５  バンド
１０  温熱具加温器
１１  ハウジング
１２  面状発熱部
１３  面状発熱体
１４  カバー体 
１８ａ  電極
１８ｂ  電極
１９  発熱性織布
２０  絶縁外皮